(57)【要約】【課題】安価で構造が簡素なグリッド天井用の点検口を提供する。【解決手段】グリッド天井１用の点検口２０である。格子枠１５のいずれか１つに取り付けられる一対の支持金具４０と、支持金具４０に支持され、格子枠１５を開閉可能に塞ぐ扉体３０とを備える。一対の支持金具４０の各々は、格子枠１５を構成している互いに平行な条材２の一方の端部に対向して取り付けられる。扉体３０の一方の端部の両側が、支持金具４０によって揺動可能に支持されている。【選択図】図４
2013204397.tif 000002
【特許請求の範囲】
【請求項１】
互いに平行な一群の条材どうしが直交して配置され、これら条材によって区画形成される複数の格子枠にパネルを載置して構築されるグリッド天井用の点検口であって、
前記格子枠のいずれか１つに取り付けられる一対の支持金具と、
前記支持金具に支持され、前記格子枠を開閉可能に塞ぐ扉体と、
を備え、
前記一対の支持金具の各々は、前記格子枠を構成している互いに平行な前記条材の一方の端部に対向して取り付けられ、
前記扉体の一方の端部の両側が、前記支持金具によって揺動可能に支持されている点検口。
【請求項２】
請求項１に記載の点検口において、
前記条材は、上縁に沿って延びる中空の矩形断面を有する上梁部を有し、
前記支持金具が、前記上梁部に掛け止められる掛止部を有している点検口。
【請求項３】
請求項１に記載の点検口において、
前記扉体の一方の端部の両側に、側方に突出する軸部が設けられ、
前記支持金具に、前記軸部を上方から受け入れて軸支する軸受部が設けられている点検口。
【請求項４】
請求項３に記載の点検口において、
前記支持金具に、前記軸受部からの前記軸部の抜け出しを阻止する軸抜け阻止機構が設けられている点検口。
【請求項５】
請求項１〜請求項４のいずれか１つに記載の点検口において、
前記条材は、下縁に沿って延びる中空の矩形断面を有する下梁部を有し、
前記扉体の他方の端部の中央部に、前記扉体を閉じ状態に保持する閉止部が設けられ、
前記閉止部は、
回動して前記下梁部の上に突出する回動片部と、
前記回動片部を回動操作する操作部と、
を有し、
前記操作部が前記扉体の下面に臨んでいる点検口。
【請求項６】
請求項１に記載の点検口において、
前記支持金具に、前記格子枠の内側に突出する軸部が設けられ、
前記扉体の一方の端部の両側に、前記軸部を下方から受け入れて軸支する軸受部が設けられている点検口。
【請求項７】
請求項１に記載の点検口において、
前記扉体の一方の端部の両側に、出退可能に側方に突出する軸部が設けられ、
前記支持金具に、前記軸部が挿入される軸穴が設けられている点検口。
【発明の詳細な説明】
【技術分野】
【０００１】
本発明は、グリッド天井に設置される点検口の構造に関する。
【背景技術】
【０００２】
近年、高層ビル等では、室内の天井壁の下方にシステム天井を設けて、天井壁とシステム天井との間に形成される天井裏スペースに空調設備や照明設備等を設置することが行われている。システム天井は、画一化された軽金属製のバーやジョイントを用いて天井壁に天井枠を組み付け、天井枠にパネルを取り付けることによって構築される。システム天井は、施工が容易で、工期の短縮やコスト削減等が図れる利点がある。
【０００３】
グリッド天井は、そのシステム天井の一種であり、バーを格子状に組み付け、その間の格子枠にパネルを落とし込んで構築される。システム天井には、バーを互いに平行に組み付けるタイプもある（ラインタイプ）。
【０００４】
システム天井では、天井裏スペースに設置した空調設備の保守点検等のために、点検口が設けられる（例えば、特許文献１）。
【０００５】
この点検口は、ラインタイプのシステム天井を主な対象としており、中央に開口部を有する矩形の枠体や、下向きに観音開きする一対の扉からなる蓋体などで構成されている。各扉の揺動端の部分には、その両側からスプリング等で突端部分が突出付勢されたロッドが取り付けられており、その下面にロッドを操作する操作部材が突出している。
【０００６】
枠体の内側面には、ロッドの突端部分が挿通される係止孔が設けられていて、操作部材を操作して係止孔からロッドの突端部分を出し入れすることにより、点検口を開閉する。
【先行技術文献】
【特許文献】
【０００７】
【特許文献１】特開平８−２１８６１３号公報
【発明の概要】
【発明が解決しようとする課題】
【０００８】
グリッド天井では、任意のパネルを押し上げて退けることができる。従って、点検口を単独で設ける必要性はなく、これまでのところ、グリッド天井を対象とした点検口は見当たらない。
【０００９】
しかし、押し上げたパネルは天井裏に載せ置かれるため、パネルが汚れたり設備にぶつかったりするおそれがある。
【００１０】
特許文献１の点検口をグリッド天井に設置することも考えられるが、特許文献１の点検口では、蓋体の四方を囲む枠体が必須となっている。
【００１１】
ところが、枠体は、比較的大きな寸法を有しているため、取り付け前に歪みを生じ易いという問題がある。枠体の厚みを増やせば、歪みは抑制できるが、厚みを増やす分だけコストが高くつく。
【００１２】
更に、両扉の各々にロッドや操作部材等を組み込む必要があるため、構造が複雑で部品点数が多い点でも難がある。
【００１３】
そこで本発明の目的は、低コストで実現できる簡素で使い勝手のよいグリッド天井用の点検口を提供することにある。
【課題を解決するための手段】
【００１４】
本発明では、グリッド天井の特徴を活用して点検口を構成した。
【００１５】
具体的には、本発明に係る点検口は、互いに平行な一群の条材どうしが直交して配置され、これら条材によって区画形成される複数の格子枠にパネルを載置して構築されるグリッド天井用の点検口である。点検口は、前記格子枠のいずれか１つに取り付けられる一対の支持金具と、前記支持金具に支持され、前記格子枠を開閉可能に塞ぐ扉体とを備える。前記一対の支持金具の各々は、前記格子枠を構成している互いに平行な前記条材の一方の端部に対向して取り付けられている。そして、前記扉体の一方の端部の両側が、前記支持金具によって揺動可能に支持されている。
【００１６】
グリッド天井は、条材を格子状に組んで形成された格子枠にパネルを載置して構築するため、格子枠自体が構造的に強度、剛性に優れた特徴を有している。従って、グリッド天井であれば、枠体が無くても点検口の強度を確保することができる。
【００１７】
そこで、この点検口では、扉体を支持する枠体を格子枠で代用し、一対の支持金具や扉体などで構成した。従って、枠体が無い分、材料コストが抑制でき、部材点数も削減できる。簡素な構造で点検口を実現できる。
【００１８】
しかも、格子枠を塞ぐ扉体は支持金具で揺動可能に支持されているので、扉体は室内側に開く。従って、天井裏スペースに扉体が入り込まないので、扉体が汚れたり、天井裏スペースの設置物と干渉するおそれがない。
【００１９】
更に、格子枠の寸法は画一化されているため、一対の支持金具と扉体とを移設するだけで、任意の場所に点検口を簡単に移動させることができる。
【００２０】
より具体的には、前記条材は、上縁に沿って延びる中空の矩形断面を有する上梁部を有し、前記支持金具が、前記上梁部に掛け止められる掛止部を有しているようにするとよい。
【００２１】
そうすれば、上梁部によって、格子枠の強度、剛性が更に強化されるため、扉体をよりいっそう安定して支持できる。しかも、その強度に優れた上梁部に支持金具が掛け止められるので、扉体を安定して支持できる。
【００２２】
より具体的には、前記扉体の一方の端部の両側に、側方に突出する軸部が設けられ、前記支持金具に、前記軸部を上方から受け入れて軸支する軸受部が設けられているようにしてもよい。
【００２３】
そうすれば、扉体を、その一方の端部側から格子枠に入れ込んで、左右の軸部を軸受部に掛け止めるだけで、支持金具に扉体を揺動可能に支持することができる。従って、作業性に優れる。
【００２４】
この場合、前記支持金具に、前記軸受部からの前記軸部の抜け出しを阻止する軸抜け阻止機構を設けるのが好ましい。
【００２５】
そうすれば、地震等、異常な外力が扉体に作用することがあっても、軸部の抜け出しが効果的に阻止できるため、安全性が向上する。
【００２６】
更に具体的には、前記条材は、下縁に沿って延びる中空の矩形断面を有する下梁部を有し、前記扉体の他方の端部の中央部に、前記扉体を閉じ状態に保持する閉止部が設けられ、前記閉止部は、回動して前記下梁部の上に突出する回動片部と、前記回動片部を回動操作する操作部とを有し、前記操作部が前記扉体の下面に臨んでいるようにすることができる。
【００２７】
そうすれば、下梁部により、格子枠の強度、剛性がよりいっそう強化される。閉止部を操作するだけで扉体を開閉操作できる。操作部は、扉体の下面に臨んでいるので、容易に操作できる。しかも、閉止部は、条材の下梁部を利用して、その上に突出する回動片部等で構成されているので、簡素な構造で実現できる。
【００２８】
例えば、前記支持金具に、前記格子枠の内側に突出する軸部が設けられ、前記扉体の一方の端部の両側に、前記軸部を下方から受け入れて軸支する軸受部が設けられているようにしてもよい。
【００２９】
また、前記扉体の一方の端部の両側に、出退可能に側方に突出する軸部が設けられ、前記支持金具に、前記軸部が挿入される軸穴が設けられているようにしてもよい。この場合、軸穴に軸部を挿入するだけで軸部の抜け出しが阻止できるため、軸抜け阻止機構を設けなくてもよい利点がある。
【発明の効果】
【００３０】
本発明によれば、構造の簡素化が図れるうえ、安価で利便性にも優れたグリッド天井用の点検口が実現できる。
【図面の簡単な説明】
【００３１】
【図１】本発明を適用したグリッド天井を天井裏側から見た概略斜視図である。
【図２】図１のＩＩ−ＩＩ線における概略断面図である。
【図３】グリッド天井の点検口の部分を室内側から見た概略斜視図である。
【図４】点検口の支持金具の部分を示す概略分解斜視図である。
【図５】点検口の支持金具の部分を示す概略側面図である。
【図６】点検口の支持金具の部分を示す概略断面図である。
【図７】点検口の閉止部の部分を示す概略図である。（ａ）は断面図、（ｂ）は室内側から見た図である。
【図８】変形例１の点検口の要部を示す概略断面図である。
【図９】変形例２の点検口の要部を示す概略図である。（ａ）は断面図、（ｂ）は支持金具の斜視図である。
【図１０】変形例３の点検口の要部を示す概略図である。（ａ）は断面図、（ｂ）は支持金具の側面図である。
【図１１】閉止部の変形例を示す概略図である。
【発明を実施するための形態】
【００３２】
以下、本発明の実施形態を図面に基づいて詳細に説明する。ただし、以下の説明は、本質的に例示に過ぎず、本発明、その適用物あるいはその用途を制限するものではない。
【００３３】
図１及び図２に、本発明を適用したグリッド天井１を天井裏側から見た図を示す。グリッド天井１は、例えば、高層ビル内の各部屋を区画している天井壁の下方に設置され、Ｔバー２（条材）や、ハンガー等の各種のジョイント３、パネル４などで構成されている。
【００３４】
Ｔバー２やジョイント３は、アルミやスチール製のプレス加工品であり、寸法や形状が画一化された、共用可能な部品で構成されている。パネル４も、寸法等が画一化されて共用可能になっており、金属板や防音性に優れたロックウールなどの素材を用いて形成されている。
【００３５】
天井壁の複数ヶ所に、下向きに延びる吊りボルト５が取り付けられ、これら吊りボルト５とジョイント３を介して、細長いＴバー２が天井壁から所定の間隔を隔てて支持されている。
【００３６】
本実施形態のＴバー２は、中空の矩形断面を有する上梁部１１と、中空の矩形断面を有する下梁部１２と、上梁部１１と下梁部１２と間に連なる縦板部１３とを有している。上梁部１１は、Ｔバー２の上縁に沿って延びており、下梁部１２は、Ｔバー２の下縁に沿って延びている。
【００３７】
上梁部１１は縦長に形成され、下梁部１２は横長に形成されていて、下梁部１２の方が横方に大きく張り出している。縦板部１３は、向かい合わせに密着した２枚の金属板で構成されている。下梁部１２の下面中央には、金属板の両側端部を折り曲げて突き合わされた繋ぎ目１２ａが位置している。
【００３８】
各Ｔバー２は、同一水平面上を拡がるように連結され、天井枠が形成されている。詳しくは、天井枠は、互いに等間隔で縦方向に平行に延びる一群のＴバー２（縦バー２ａ）と、縦バー２ａと直交して、互いに等間隔で横方向に平行に延びる一群のＴバー２（横バー２ｂ）とで構成されている。
【００３９】
例えば、６００ｍｍ等、縦バー２ａ及び横バー２ｂの間隔は同一であり、縦バー２ａと横バー２ｂとの間には、複数の正方形状をした格子状の枠（格子枠１５）が区画形成されている。そして、これら格子枠１５の各々に、上方からパネル４が嵌め込まれ、載置されている。
【００４０】
詳しくは、各パネル４の外周には、外方に張り出すフランジ４ａが設けられており、このフランジ４ａが縦バー２ａ及び横バー２ｂの下梁部１２の上面に載置されるように、各パネル４は、上方から格子枠１５に嵌め込まれている。そうして各格子枠１５をパネル４で塞ぐことにより、グリッド天井１が構築されている。
【００４１】
従って、グリッド天井１であれば、施工が簡単であり、押し上げるだけで格子枠１５からパネル４を取り外すことができるため、パネル４の交換等も容易にできる。しかも、格子枠１５やパネル４が画一化されているため、部材の共通化が図れる等の利点もある。
【００４２】
図示はしないが、グリッド天井１の天井裏のスペースには、空調設備や照明設備、電気配線等が設置される。これら空調設備等の点検のために、しばしば天井裏に入り込む必要がある。グリッド天井１の場合、任意の部位のパネル４を押し上げて、パネル４を退かせば天井裏に入り込むことができるが、パネル４が汚れたり設備にパネル４がぶつかったりするおそれがある。
【００４３】
そこで、このグリッド天井１では、図３に示すように、点検口２０が設けられている。点検口２０は、１つの格子枠１５を利用して設けられており、格子枠１５を塞ぐ１つの扉体３０が、室内側に向かって揺動開閉するように構成されている。
【００４４】
従って、この点検口２０の場合、扉体３０が天井裏に入り込まないため、扉体３０が汚れたり天井裏の設備にぶつけたりするおそれがない。扉体３０は、グリッド天井１に揺動可能に支持されているので、扉体３０の全体を持ち上げたりする必要がないし、開く方向に自重が作用するため、弱い力でも開閉操作できる。
【００４５】
図４〜図６に、点検口２０の詳細構造を示す。点検口２０は、概ね、扉体３０と、扉体３０を支持する一対の支持金具４０，４０とで構成されている。
【００４６】
図４及び図６に示すように、扉体３０は、扉枠３１や天井材３２、軸部３３などで構成されている。扉枠３１は、格子枠１５の内寸法よりもひとまわり小さい外寸法を有する矩形枠からなる。扉枠３１の下端には、全周に亘って小さく張り出す鍔部３１ａが設けられている。
【００４７】
鍔部３１ａは、点検口２０を閉じたときに、格子枠１５を構成している下梁部１２と僅かな隙間を隔てて対向するように設定されている。従って、鍔部３１ａにより、天井裏から室内に粉塵等が落下するのを抑制できる。なお、鍔部３１ａは、その先端が下梁部１２の下側に入り込む位置まで張り出すように形成してもよい。
【００４８】
天井材３２は、美観等の観点から、パネル４と同じ素材を用いて形成されている。天井材３２は、扉枠３１に嵌め込まれて一体化されている。
【００４９】
軸部３３は、扉体３０における揺動基端側の端部（端寄りの部分）の左右両側に２つ対称状に設けられている。各軸部３３は、扉枠３１の側面から側方に突出する小径の軸基部３３ａと、軸基部３３ａの先端に設けられた大径の抜止鍔部３３ｂとを有している。
【００５０】
図４に示すように、支持金具４０は、金属板のプレス加工品であり、格子枠１５を構成しているＴバー２に取り付けられている。一対の支持金具４０，４０は、同じ部材で構成され、図５に示すように、互いに平行な２つのＴバー２（便宜上、縦バー２ａとする）の一方の端部に対向して左右対称状に設置されている。
【００５１】
各支持金具４０には、縦バー２ａの上梁部１１に掛け止められる掛止部４１と、軸受部４２とが設けられている。掛止部４１は、上梁部１１の外寸法に合わせて金属板を断面コ字状に折り曲げて形成されており、格子枠１５の内側に臨んで上梁部１１の内側面に面接触する支持壁４１ａと、支持壁４１ａに連なって上梁部１１の上面に面接触する載置壁４１ｂと、載置壁４１ｂに連なって支持壁４１ａと対向し、上梁部１１の外側面に面接触する締結壁４１ｃとを有している。
【００５２】
締結壁４１ｃには、ネジ孔４３が２箇所形成されている。支持金具４０は、締結壁４１ｃと支持壁４１ａとで、上梁部１１を挟持するように、縦バー２ａに掛け止められる。そうして、ネジ孔４３にネジをねじ込むと、その先端が上梁部１１の下側に突出し、支持金具４０は縦バー２ａに取り付けられる。
【００５３】
軸受部４２は、支持壁４１ａの内側面に設けられている。軸受部４２は、支持壁４１ａに立設され、側面視が略Ｕ字状のガイド壁４２ａと、ガイド壁４２ａの先端に沿ってガイド壁４２ａの内側に張り出すガイド鍔４２ｂとを有し、載置壁４１ｂ側が開口している。
【００５４】
本実施形態の軸受部４２は、側面から見て中間部分が斜め方向に屈曲している。屈曲させることで、扉体３０を閉める際に軸部３３を外れ難くできる効果がある。ガイド壁４２ａの内幅寸法は、抜止鍔部３３ｂの外径より僅かに大きく形成され、ガイド鍔４２ｂの内幅寸法は軸基部３３ａの外径より大きく、かつ抜止鍔部３３ｂの外径より小さく形成されている。
【００５５】
軸受部４２は、軸部３３を上方から受け入れて回動可能に軸支する。受け入れた軸部３３の軸受部４２からの抜け出しを阻止するために、軸抜け阻止機構５０が設けられている。本実施形態では、軸抜け阻止機構５０の一例として、貫通孔が２箇所形成された押さえ板５１が用いられている。
【００５６】
載置壁４１ｂの上面には、貫通孔の配置に対応して、雄ネジ５２が２箇所形成されており、貫通孔にこれら雄ネジ５２を挿入してナットで締結することにより、押さえ板５１は、支持金具４０に固定される。それにより、押さえ板５１の一部が載置壁４１ｂから突出し、軸受部４２に被さってその開口が塞がれる。
【００５７】
点検口２０の天井枠への組み付けは、グリッド天井１の施工時だけでなく施工後であっても簡単にできる。まず、所望する格子枠１５に対して一対の支持金具４０を取り付ける。具体的には、扉体３０の開閉方向を考慮しながら、図５に示すように、軸部３３の位置に合わせて、一対の縦バー２ａか横バー２ｂのいずれか一方に左右対向状に支持金具４０を取り付ける。
【００５８】
そうして、扉体３０を、その揺動基端側から格子枠１５に入れ込んで、左右の軸部３３を軸受部４２に掛け止める。そうすれば、扉体３０は、格子枠１５に取り付けられた支持金具４０によって揺動可能に支持される。格子枠１５に支持された扉体３０は、自重によって垂れ下がる開き位置（図３や図５に実線で示す）と、格子枠１５を塞ぐ閉じ位置（図５に仮想線で示す）との間で揺動開閉できる。
【００５９】
扉体３０を閉じ位置に保持するために、扉体３０の揺動先端側の端部には、閉止部６０が設けられている。
【００６０】
図７に、閉止部６０の一例を示す。この閉止部６０は、扉体３０の揺動先端側の端部の中央部位に１箇所設けられている。すなわち、この扉体３０は、軸部３３と閉止部６０とで３点支持されている。
【００６１】
閉止部６０は、複数の部品を組み合わせた金具６０ａを含み、その金具６０ａを扉体３０に埋設して構成されている。具体的には、閉止部６０は、筒状の埋設部６１や、埋設部６１に回動自在に挿入された回動軸部６２、回動軸部６２から半径方向に延びる回動片部６３、回動軸部６２の一端に設けられた操作部６４などを有している。操作部６４は、扉体３０の下面に臨んでいる。
【００６２】
埋設部６１の側面には、周方向に延びるスリット６１ａが形成されており、そのスリット６１ａから回動片部６３が突出している。回動片部６３は、格子枠１５を構成している横バー２ｂの下梁部１２の上に突出する閉止位置（図７の（ｂ）に実線及び点線で示す）と、扉体３０の内部に収容される開放位置（同図に仮想線で示す）とに変位する。なお、扉体３０にも、回動片部６３の回動軌跡に合わせて横長孔６５が形成されている。
【００６３】
回動片部６３の回動操作は、操作部６４によって行う。操作部６４には、回動片部６３と同じ方向に延びる細溝６４ａが形成されている。細溝６４ａには硬貨を差し込むことができ、硬貨を用いて回動片部６３を回動させることができる。従って、点検口２０は、工具を用いることなく、室内側から開閉できる。
【００６４】
（変形例１）
図８に、点検口２０の変形例を示す。上述した実施形態の点検口２０では、扉体３０に軸部３３が設けられ、支持金具４０に軸受部４２が設けられていたが、この変形例では、扉体３０に軸受部４２が設けられ、支持金具４０に軸部３３が設けられている。なお、Ｔバー２や閉止部６０等、その他の構成については上述した点検口２０と同様であるため、同様の機能を有する構成については同じ符号を用いてその説明は省略し、相違する構成について詳細に説明する。
【００６５】
本変形例の支持金具４０では、格子枠１５の内側に突出するように、軸部３３が支持壁４１ａに設けられている。軸受部４２を設ける場合に比べて支持壁４１ａは小さくてよいため、支持金具４０を小さくできる。本変形例の扉体３０では、その一方の端部の両側に、軸部３３を下方から受け入れて軸支する軸受部４２が設けられている。すなわち、本変形例では、ガイド壁４２ａは、扉枠３１の側面に立設され、側面視が逆略Ｕ字状に形成されている。それにより、軸受部４２は鍔部３１ａ側が開口している。
【００６６】
そして、本変形例では、閉止部６０と同じ金具６０ａを用いて軸抜け阻止機構５０を構成している。すなわち、扉体３０における左右の軸受部４２の配置部位に、金具６０ａが埋設されており、回動片部６３で軸受部４２の開口を塞いでいる。
【００６７】
（変形例２）
図９に、点検口２０の別の変形例を示す。この変形例では、軸抜け阻止機構５０が無くても、扉体３０の抜け外れが防止できるように構成されている。
【００６８】
すなわち、この変形例では、実施形態の点検口２０と同様に、扉体３０に軸部３３が設けられ、支持金具４０に軸受部４２が設けられているが、軸部３３を出退可能に構成し、軸受部４２をその軸部３３が挿入される軸穴７７で構成した。
【００６９】
軸部３３は、一端に軸開口を有し、扉体３０に埋設される軸筒７１や、軸筒７１の内部に収容されるバネ等の弾性部材７２、軸開口から突出し、弾性部材７２で押し出し付勢された係合軸部７３などで構成されている。係合軸部７３の先端は、球面状に形成されている。軸部３３は、その係合軸部７３を側方に突出させた状態で、扉体３０の側面に埋設されている。
【００７０】
本変形例の支持金具４０の掛止部４１は、図９の（ｂ）に示すように、更に、支持壁４１ａの下端に連なって載置壁４１ｂと逆向きに張り出す中間壁７５と、中間壁７５に連なって支持壁４１ａと対向する第２支持壁７６とを有している。そして、第２支持壁７６に、軸部３３が挿入される軸穴７７が設けられている。この支持金具４０では、軸孔を設けるだけなので、先の支持金具４０よりも幅寸法は小さく形成されている。軸孔の下側には、係合軸部７３を軸孔に誘導する誘導溝７８が形成されている。
【００７１】
この点検口２０の天井枠への組み付けは、左右の支持金具４０の誘導溝７８に、軸部３３の係合軸部７３を入れ込んで扉体３０をその揺動基端側から格子枠１５に押し上げる。そうすれば、軸筒７１に押し込まれた左右の係合軸部７３は、軸穴７７の位置で突出し、軸穴７７に入り込む。軸穴７７に入り込んだ係合軸部７３は、天井裏側から操作して押し込まない限り、支持金具４０から抜け外れるおそれがない。
【００７２】
（変形例３）
図１０に、点検口２０の更に別の変形例を示す。この変形例では、軸抜け阻止機構５０が支持金具４０に組み込まれている。なお、軸抜け阻止機構５０以外の構成は、実施形態の点検口２０と同一である。
【００７３】
この軸受部４２では、ガイド壁４２ａの上部に、軸受部４２の開口を塞ぐように細長い規制片８０が揺動可能に取り付けられている。詳しくは、ガイド壁４２ａの一方の上部に、規制片８０の一端が揺動可能に軸支されている。他方のガイド壁４２ａの上部には、規制片８０の揺動先端側の部分が入り込む長孔８１が形成されている。
【００７４】
規制片８０は、軸受部４２の開口を塞ぐ抜け止め位置（図１０の（ｂ）に実線で示す）と、軸受部４２の開口を開く開放位置（図１０の（ｂ）に仮想線で示す）とに揺動変位可能に構成されている。規制片８０は、ねじりバネ８２によって抜け止め位置側に向かって付勢されており、常態では、規制片８０の端部が長孔８１の上端に受け止められていて、規制片８０は抜け止め位置に保持されている。
【００７５】
この変形例では、扉体３０を左右の軸部３３を軸受部４２に掛け止めるだけで、軸部３３の抜け外れが阻止できる。すなわち、軸部３３の作用で規制片８０が開き位置に変位し、軸部３３は軸受部４２に受け入れられる。いったん軸部３３を軸受部４２に受け入れてしまえば、規制片８０は抜け止め位置に変位する。
【００７６】
なお、本発明にかかる点検口は、上述した実施形態に限定されず、それ以外の種々の構成をも包含する。
【００７７】
例えば、図１１に示すように、閉止部６０は、扉体３０に埋設するのではなく、扉３０の揺動端側の外側に露出して設置してもよい。具体的には、鍔部３１ａの上面に金具６０ａを締結して取り付ける。そうすれば、閉止部６０が故障しても容易に確認できるし取り替えることもできる。鍔部３１ａの上側に位置するので、美観を損なうこともない。
【符号の説明】
【００７８】
１  グリッド天井
２  Ｔバー（条材）
４  パネル
１５  格子枠
２０  点検口
３０  扉体
４０  支持金具
【図１】
2013204397.tif 000003
【図２】
2013204397.tif 000004
【図３】
2013204397.tif 000005
【図４】
2013204397.tif 000006
【図５】
2013204397.tif 000007
【図６】
2013204397.tif 000008
【図７】
2013204397.tif 000009
【図８】
2013204397.tif 000010
【図９】
2013204397.tif 000011
【図１０】
2013204397.tif 000012
【図１１】
2013204397.tif 000013